(57)【要約】      （修正有）【課題】ばら状の製品をスピーディかつスムーズに包装し、包装効率を向上させる製品包装治具を提供する。【解決手段】製品包装治具は、垂直に設けられた１つ以上の貫通孔１１を有する治具本体１と、対称的に配置された２枚以上のガイドプレート２とを備える。ガイドプレート２は、固定端部２１および自由端部２２を有する平板である。固定端部２１は、治具本体１の貫通孔１１に接続され、自由端部２２は、折り曲げた傾斜部２３を有する。治具本体１の貫通孔１１の上端から電子製品または非電子製品を入れ、貫通孔１１に製品を通して収納空間内にガイドプレート２を挿入し、製品の箱詰めおよび包装を行う。【選択図】図１
0003156193.tif 000002
【実用新案登録請求の範囲】
【請求項１】
垂直に設けられた１つ以上の貫通孔を有する治具本体と、対称的に配置された２枚以上のガイドプレートと、を備え、
前記ガイドプレートは、固定端部および自由端部を有する平板であり、
前記固定端部は、前記治具本体の前記貫通孔に接続され、前記自由端部は、折り曲げた傾斜部を有することを特徴とする製品包装治具。
【考案の詳細な説明】
【技術分野】
【０００１】
本考案は、製品包装治具に関し、特に、ばら状の製品を案内し、包装箱内の収納空間へ入れることができる製品包装治具構造に関する。
【背景技術】
【０００２】
一般にばら状の電子製品（例えば、円筒型電池、電子部品など）または電子製品以外の製品（以下「非電子製品」という。）（例えば、球、玩具など）は、一般に１つの箱または籠を用いて製品を包装する。その際、製品が互いに当たらないように、箱内に多数の板紙を交差させて多数の収納空間を形成してから、収納空間に製品を一つずつ入れ、最後に箱を封止して包装を行う。しかし、製品を箱内の収納空間に入れた後、箱内の紙板が押圧されて変形すると、他の収納空間が圧縮され、残りの製品が収納空間へスムーズに入らなくなる虞があった。さらに、一般に製品を収納空間へ入れる際、紙板の上端に接触し易いため、紙板上に製品が引っかかり、収納空間へ自然に落とし入れることができなくなる虞があった。そのため、包装効率が低下し、生産ラインがスムーズに流れなくなる虞があった。
【０００３】
そのため、箱内の収納空間の中にスピーディかつスムーズにばら状の製品を入れることができる製品包装治具が求められていた。
【考案の概要】
【考案が解決しようとする課題】
【０００４】
本考案の目的は、治具本体および対称的に配置された２枚以上のガイドプレートを用い、包装治具を利用して包装箱内の各収納空間へばら状の電子製品または非電子製品を入れ、ばら状の製品をスピーディかつスムーズに包装し、包装効率を向上させる製品包装治具を提供することにある。
【課題を解決するための手段】
【０００５】
上記課題を解決するために、本考案の第１の形態によれば、垂直に設けられた１つ以上の貫通孔を有する治具本体と、対称的に配置された２枚以上のガイドプレートと、を備え、前記ガイドプレートは、固定端部および自由端部を有する平板であり、前記固定端部は、前記治具本体の前記貫通孔に接続され、前記自由端部は、折り曲げた傾斜部を有することを特徴とする製品包装治具が提供される。
【考案の効果】
【０００６】
本考案の製品包装治具は、治具本体および対称的な２枚以上のガイドプレートを用い、包装治具を利用して包装箱内の各収納空間へばら状の電子製品または非電子製品を入れ、ばら状の製品をスピーディかつスムーズに包装し、包装効率を向上させることができる。
【図面の簡単な説明】
【０００７】
【図１】本考案の一実施形態による製品包装治具を示す分解斜視図である。
【図２】本考案の一実施形態による製品包装治具を示す斜視図である。
【図３】本考案の一実施形態による４つのガイドプレートを用いるときの状態を示す斜視図である。
【図４】本考案の一実施形態による矩形状の貫通孔を有する製品包装治具を示す斜視図である。
【図５】本考案の一実施形態による多角形状の貫通孔を有する製品包装治具を示す斜視図である。
【図６】本考案の一実施形態による製品包装治具の応用例を示す斜視図である。
【考案を実施するための形態】
【０００８】
以下、本考案の実施形態について図に基づいて説明する。なお、これによって本考案が限定されるものではない。
【０００９】
図１および図２を参照する。図１および図２に示すように、本考案の一実施形態による製品包装治具は、垂直に設けられた１つ以上の貫通孔１１を有する治具本体１と、対称的に配置された２枚以上のガイドプレート２と、を含む。ガイドプレート２は、固定端部２１および自由端部２２を有する平板である。固定端部２１は、治具本体１の貫通孔１１に接続されている。自由端部２２は、折り曲げた傾斜部２３を有する。
【００１０】
図１および図２を再び参照する。図１および図２に示すように、本考案の一実施形態による治具本体１は、矩形状の長尺部材であるが、当然他の形状の構造体でもよい。本実施形態の治具本体１は、中央部分に貫通孔１１が配列された長尺部材である。本実施形態の貫通孔１１は、円形状であり、孔壁に２つ以上（本実施形態では４つ）の嵌合溝１２が設けられている。これにより、図１および図２に示すように、対称的に配置した２枚のガイドプレート２の固定端部２１を嵌合溝１２の中に入れて接続したり、図３に示すように、対称的に配置した４枚のガイドプレート２の固定端部２１を嵌合溝１２の中に入れて接続したりしてもよい。ガイドプレート２の固定端部２１は、嵌合溝１２の中へ強固に結合させるために、ネジなどの固定部材を用いずに、嵌合溝１２の両側にそれぞれ設けられた突条体１３を用い、ガイドプレート２の固定端部２１の両側部を挟持する。さらに、治具本体１は、位置決めを行うために用いる１つ以上の嵌合溝１２を有する。この嵌合溝１２は位置決め孔である。図４および図５に示すように、本実施形態の治具本体１の貫通孔１１の形状は、矩形状またはその他多角形状である。
【００１１】
図６に示すように、本実施形態の製品包装治具を実際に使用する際は、自動機器または手作業により移動させ、包装箱３の上方に治具本体１を配置させる。その後、包装箱３内の各収納空間３１の中へ、ガイドプレート２の自由端部２２の傾斜部２３を挿入してから、治具本体１の貫通孔１１の上端から電子製品または非電子製品を入れ、貫通孔１１に製品４を通して収納空間３１内にガイドプレート２を挿入し、製品の箱詰めおよび包装を行う。このように、本実施形態の製品包装治具は、貫通孔１１およびガイドプレート２を用いることにより、包装箱３内の収納空間３１へ製品４を入れ、他の収納空間３１が製品４により押圧されることを防ぐとともに、収納空間３１上に製品４が引っかかることを防ぐことができる。そのため、ばら状の製品をスピーディかつスムーズに包装し、包装効率を向上させることができる。
【００１２】
上述したことから分かるように、本考案は、治具本体に対称的な２枚以上のガイドプレートを組み合わせた構造設計により、包装箱内の各収納空間へばら状の電子製品または非電子製品をスピーディかつスムーズに入れて製品を包装することができるため、包装効率を向上させることができる。
【００１３】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００１４】
１  治具本体
２  ガイドプレート
３  包装箱
４  製品
１１  貫通孔
１２  嵌合溝
１３  突条体
１４  位置決め部
２１  固定端部
２２  自由端部
２３  傾斜部
３１  収納空間
【図１】
0003156193.tif 000003
【図２】
0003156193.tif 000004
【図３】
0003156193.tif 000005
【図４】
0003156193.tif 000006
【図５】
0003156193.tif 000007
【図６】
0003156193.tif 000008